(57)【特許請求の範囲】
【請求項１】
キーの各変位形成部に係合する面および反対側に整列面を有するコードピンをコードピン孔に収納し、コードピン孔に連通して周面に角度規制用溝が形成された内筒と、該内筒を回転可能に収納し、コードピン孔に対応してドライバーピン孔を有し、角度規制用ドライバーピン（以下、ドライバーピンという。）およびスプリングを収納してドライバーピンをコードピンにそれぞれ対向させる外筒とを備えて、内筒と外筒との間に設定されたシェアラインにコードピンの整列面が一致すると、内筒の回転が許容され、ドライバーピンが角度規制用溝に落ち込むと、内筒は角度規制用溝によって規制された範囲で回転が許容されるようにされたピンタンブラー錠において、
角度規制用溝には、溝部の上部に周方向に突出する突起が形成され、突起外径が溝内径よりも小さくされ、
ドライバーピンには、ドライバーピン周面に窪み部が形成され、窪み部内径は突起外径より小さくされ、ドライバーピンの周面外径は溝内径よりも小さく、突起外径よりも大きくされ、
第一の形状を有する変位形成部のキーが挿入された時に、ドライバーピンは窪み部が突起を越えることによって角度規制用溝に落ち込んで突起と角度規制用溝とはすべるように係合して、内筒は角度規制用溝によって規制された範囲で回転が許容され、第２の形状を有する変位形成部のキーが挿入された時に、ドライバーピンは角度規制用溝への落ち込みが突起に阻止され、内筒は角度規制用溝に規制されることなく回転可能とされること
を特徴とするピンタンブラー錠。
【請求項２】
請求項１において、角度規制用溝が基準角を中心として一対設けられ、これらの角度規制用溝に対応して一対のドライバーピンが設けられ、一対の角度規制用溝の突起外径は異径とされ、一対のドライバーピンの窪み部円径は異径とされることを特徴とするピンタンブラー錠。
【請求項３】
請求項２において、２つの角度規制用溝は基準角に中心として同一方向に形成され、一方の角度規制用溝の回転範囲は他方の角度規制用溝の回転範囲とは異なることを特徴とするピンタンブラー錠。
【請求項４】
請求項３において、一方の角度規制溝の回転範囲は第一角度とされ、他方の角度規制溝の回転範囲は第一角度よりも小さい第二角度とされることを特徴とするピンタンブラー錠。
【請求項５】
請求項２において、２つ角度規制用溝は基準角を中心として異方向に形成されることを特徴とするピンタンブラー錠。
【発明の詳細な説明】
【技術分野】
【０００１】
本発明はピンタンブラー錠に関する。
【背景技術】
【０００２】
異なった人間が１つのタンブラー錠について異なったキー（鍵）を所有して解錠方法を異にして解錠することが行われる。例えば、特定の管理者には２つの機能部を解錠するキーを所持させ、他の一般の従業員にはその内の１つの機能のみを解錠するキーを所持させて該当の施設、装置の運営がなされる。
【０００３】
特許文献１には、中間リングを用いて、左右両側に回転可能に通常のキーの他に、一方向にのみ回転可能な第二のキーを使用するようにしたピンタンブラー錠が記載されている。
【０００４】
特許文献２には、角度規制カムを用いた盗難防止用施錠具が記載されている。
【０００５】
特許文献３には、解錠位置において内向き鍔部の背面に係合する位置決め突起を設けた可変コード型軸方向ピンタンブラー錠が記載されている。
【０００６】
【特許文献１】特開平１１−２４１５３４号公報
【特許文献２】特開平１０−１３１５８４号公報
【特許文献３】特開２００４−３３２３０９号公報
【発明の開示】
【発明が解決しようとする課題】
【０００７】
従来、回転角度を規制するに際しては回転角度規制用の部材を新たに設けることを行っており、部品点数が増え、構造が複雑化していた。
【０００８】
また、従来のピンタンブラー錠にあっては、内筒に一方のキーによる規制のために設けた角度規制用溝と角度規制用ドライバーピンとの係合に他方のキーが規制を受けて回転角度に規制を受けるという問題があった。
【０００９】
本発明は、かかる点に鑑み部品点数を増やすことなく、一方のキーによる規制のために設けた角度規制用溝と角度規制用ドライバーピンとの係合に他方のキーが規制を受けることなく、回転角度に規制を受けることのないピンタンブラー錠を提供することを目的とする。
【課題を解決するための手段】
【００１０】
本発明は、キーの各変位形成部に係合する面および反対側に整列面を有するコードピンをコードピン孔に収納し、コードピン孔に連通して周面に角度規制用溝が形成された内筒と、該内筒を回転可能に収納し、コードピン孔に対応してドライバーピン孔を有し、ドライバーピンおよびスプリングを収納してドライバーピンをコードピンにそれぞれ対向させる外筒とを備えて、内筒と外筒との間に設定されたシェアラインにコードピンの整列面が一致すると、内筒の回転が許容され、ドライバーピンが角度規制用溝に落ち込むと、内筒は角度規制用溝によって規制された範囲で回転が許容されるようにされたピンタンブラー錠において、
角度規制用溝には、溝部の上部に周方向に突出する突起が形成され、突起外径が溝内径よりも小さくされ、
ドライバーピンには、ドライバーピン周面に窪み部が形成され、窪み部内径は突起外径より小さくされ、ドライバーピンの周面外径は溝内径よりも小さく、突起外径よりも大きくされ、
第一の形状を有する変位形成部のキーが挿入された時に、ドライバーピンは窪み部が突起を越えることによって角度規制用溝に落ち込んで突起と角度規制用溝とはすべるように係合して、内筒は角度規制用溝によって規制された範囲で回転が許容され、第２の形状を有する変位形成部のキーが挿入された時に、ドライバーピンは角度規制用溝への落ち込みが突起に阻止され、内筒は角度規制用溝に規制されることなく回転可能とされること
を特徴とするピンタンブラー錠を提供する。
【００１１】
本発明は、また、角度規制用溝が基準角を中心として一対設けられ、これらの角度規制用溝に対応して一対のドライバーピンが設けられ、一対の角度規制用溝の突起外径は異径とされ、一対のドライバーピンの窪み部円径は異径とされることを特徴とするピンタンブラー錠を提供する。
【００１２】
本発明は、また、２つの角度規制用溝は基準角に中心として同一方向に形成され、一方の角度規制用溝の回転範囲は他方の角度規制用溝の回転範囲とは異なることを特徴とするピンタンブラー錠を提供する。
【００１３】
本発明は、また、一方の角度規制溝の回転範囲は第一角度、例えば９０°とされ、他方の角度規制溝の回転範囲は第二角度、例えば４５°とされることを特徴とするピンタンブラー錠を提供する。
【００１４】
本発明は、また、２つ角度規制用溝は基準角を中心として異方向に形成されることを特徴とするピンタンブラー錠を提供する。
【発明の効果】
【００１５】
角度規制用溝には、溝部の一部に周方向に突出する突起が形成され、突起外径が溝内径よりも小さくされ、ドライバーピンには、ドライバーピン周面に窪み部が形成され、窪み部内径は突起外径よりも小さくされ、ドライバーピンの周面外径は溝内径よりも小さく、突起外径よりも大きくされる構成を採用しており、第一の形状を有する変位形成部の鍵が挿入された時に、ドライバーピンは窪み部が突起を越えることによって角度規制用溝に落ち込み、内筒は角度規制用溝によって規制された範囲で回転が許容され、第２の形状を有する変位形成部の鍵が挿入された時に、ドライバーピンは窪み部が突起に阻止され、内筒は角度規制用溝に規制されることなく回転可能とされて、部品点数を増やすことなく、一方のキーによる規制のために設けた角度規制用溝と角度規制用ドライバーピンとの係合に他方のキーが規制を受けることなく、回転角度に規制を受けることのないピンタンブラー錠を提供することができる。
【発明を実施するための最良の形態】
【００１６】
以下、本発明の１実施例を図面に基づいて説明する。
【実施例１】
【００１７】
図１は、本発明の実施例のピンタンブラー錠要部構成を示す図である。
【００１８】
通常、角度規制のピンタンブラー錠１００は、鍵の凹凸の各変位形成部に係合する面および反対側に整列面を有するコードピン（アンダーピンともいう。）をコードピン孔に収納し、コードピン孔に連通して周面に設けられた角度規制用溝が形成された内筒と、該内筒を回転可能に収納し、コードピン孔に対応してコードピン孔に対応してドライバーピン孔を有し、ドライバーピンおよびスプリングを収納してドライバーピンをコードピンにそれぞれ対向させる外筒とを備えて、内筒と外筒との間に設定されたシェアラインにコードピンの整列面が一致すると、内筒の回転が許容され、ドライバーピンが角度規制用溝に落ち込むと、内筒は角度規制用溝によって規制された範囲で回転が許容されるようにされた構成を有する錠として知られている。
【００１９】
図１において、内筒１には角度規制用溝２が形成され、この角度規制用溝２に係合するようにして角度規制用ドライバーピン３（以下、ドライバーピンという。）が設けられている。図２に、角度規制用溝２およびドライバーピン３の構成を示す。図２（ａ）に示されるように、角度規制用溝２は、コードピン孔の上方の周面において連通した形体で、周一高さでコードがピンの深さよりも浅くして、内筒１の外表面に達するようにして形成され、形成された角度規制用溝２の内方に突出してレール状の突起１１が角度規制用溝２の上端部で全域に亘って設けられる。角度規制用溝２は、図２（ｂ）に示されるように、ドライバーピン３は円筒状をなし、ドライバーピン周面３Ａに全周に亘って窪み部１２が形成される。
【００２０】
角度規制用溝２は接幅Ｌ１，突起間横幅Ｌ２を有し、ドライバーピン３は外径Ｌ１´，窪み部外径Ｌ２´の長さを有し、
Ｌ１＞Ｌ２，Ｌ１＞Ｌ１´，Ｌ２＞Ｌ２´
かつ
Ｌ１＞Ｌ２
に設定される。具体的な数値を示せば、図１に示すように、
Ｌ１  ：３．０ｍｍ    ，    Ｌ２  ：２．５ｍｍ
Ｌ´１：Φ２．５ｍｍ  ，    Ｌ２´：Φ２．４ｍｍ
となる。
【００２１】
このように構成することによって、図２（ｃ）に示すようにドライバーピン３の下方部１３はコードピン孔を介して突起１１の下側に入り込み、上方部１４はレール状の突起１１の面に沿って走ることができる。実際は、内筒１がキーによって回転させられるので、レール状の突起１１が角度規制用溝３に沿ってすべることになる。
【００２２】
角度規制用溝２は、３６０°の範囲内において任意の角度に設定することができる。
【００２３】
図３は、第一の形状の変位形成部を有するキー２１（以下、第一のキー２１という。）が用いられた場合の作動を示す。
【００２４】
図３（ａ）に示すように、内筒１内に第一のキー２１が差し込まれる。
【００２５】
内筒１は外筒２２内に回転可能に収納されており、外筒２２にはドライバーピン孔２３が設けられてドライバーピン３およびスプリング２４が配置され、内筒１にはコードピン孔２５が設けられてコードピン２６が配置される。図３（ａ）の状態において、内筒１と外筒２２との間に設定されたシェアラインにコードピン２６の整列面が一致し、内筒１は３６０°の範囲で回転が許容される。
【００２６】
図３（ｂ）に示すように、第１のキー２１の変位形成部である凹部にコードピン２６が係合して内方に変位すると、ドライバーピン３は、スプリング２４に押圧されて内方に落ち込み、窪み部１２は突起１１に係合し、周方向に走行可能となる。図３（ｂ）に示す場合、角度規制用溝２は左方向に形成してあるので、内筒１は左回転が可能で、回転角度は角度規制用溝２の範囲となり、図３（ｂ）の例では９０°ということになる。
【００２７】
図４は、第二の形状の変位形成部を有するキー２１Ａ（以下、第二のキー２１Ａという。）が用いられた場合の作動を示す。
【００２８】
図４（ａ）はドライバーピン３のコードピン２６に対する角度が０°の位置にあり、図３（ａ）に示す状態と同じ状態にあり、内筒１と外筒２２との間に設定されたシェアラインにコードピン２６の整列面が一致し、内筒１は回転が許容される。内筒左回転時に、左３５°回転するとドライバーピン３は角度規制用溝２の横幅よりも大きいために、角度規制用溝２内に落ちず、回転が続行される（図４（ｂ））。
【００２９】
更に９０°回転しても同じであり（図４（ｃ））、更に回転することができる。このようにして左方向３６０°回転がなされる。内筒右回転時に、右３５°回転してもドライバーピン３は内筒１の外表面に当接して落ちず、回転が続行される（図４（ｄ））。更に９０°回転しても同じであり（図４（ｅ））、更に回転することができる。このようにして右方向３６０°回転がなされる。
【００３０】
この例の場合、例えば一般の従業者が第一のキー２１を所持して左回転９０°の範囲で使用し、管理者が第二のキー２１Ａを所持して左右３６０°回転範囲で使用することになる。
【００３１】
従って、この実施例によれば、角度規制用溝２には、溝部の上部に周方向に突出する突起１１が形成され、突起外径が溝内径よりも小さくされる。
【００３２】
また、ドライバーピン３には、ドライバーピン周面に窪み部１２が形成され、窪み部内径は突起外径よりも小さくされ、ドライバーピンの周面外径は溝内径よりも小さく、突起外径よりも大きくされる。
【００３３】
そして、第一の形状を有する変位形成部の第一のキーが挿入された時に、ドライバーピン３は窪み部１２が突起１１を越えることによって角度規制用溝２に落ち込んで突起１１と角度規制用溝２とはすべるように係合し、内筒１は角度規制用溝２によって規制された範囲で回転が許容され、第２の形状を有する変位形成部の第二のキーが挿入された時に、ドライバーピン３は角度規制用溝２への落ち込みが突起１１に阻止され、内筒１は角度規制用溝２に規制されることなく回転可能とされることになる。
【実施例２】
【００３４】
図５−図１１に示す実施例２は実施例１を応用した場合の例を示す。この例の場合には、図５に示すように所持される２つのキーについてそれぞれの可動範囲溝（２）が設けられる。コードピン２５には寸胴のものが使用され、コードピンがキー２１に設けた凹部（変位形成部）に係合すると段付溝にドライバーピン３が当り操作できない。なお、第一のキーをキー１で示し、第二のキーをキー２で示している。この例の場合、可動範囲溝は基点を中心として同一方向に設けられ、キー１については左９０°可動範囲とされ、キー２については右９０°可動範囲とされる。ドライバーピン３は０°、左４５°および左９０°の範囲でそれぞれ配設される。各角度規制用溝および各ドライバーピン３についての関係は図１および図２に示す通りであるが、横幅および外径はそれぞれの組み合わせで別種（異径）のものとしている。キー１の可動範囲溝についてはＸ−Ｘ断面で、キー２の可動範囲溝についてはＹ−Ｙ断面で示す。
【００３５】
図６はＸ−Ｘ断面の拡大図を示し、図７はＹ−Ｙ断面の拡大図を示す。図８および図９の詳細については図６および図７の詳細が参照される。
【００３６】
図８は、キー１の可動範囲について示す。
【００３７】
キー１挿入時内筒０°の地点で、Ｘ−Ｘ断面では角度規制用溝による回転可能な角度規制がかかり、Ｙ−Ｙ断面では角度規制が外れてフリーの状態で回転可能の状態となる（図８（ａ））。
【００３８】
キー挿入時内筒４５°回転地点で、Ｘ−Ｘ断面では角度規制がかかり、Ｙ−Ｙ断面では角度規制が外れてフリー状態となる（図８（ｂ））。
【００３９】
キー挿入時内筒９０°回転地点で、Ｘ−Ｙ断面では角度規制がかかり、Ｙ−Ｙ断面では角度規制が外れてフリー状態となる（図８（ｃ））。
【００４０】
従って、この場合管理者用のキー１の可動範囲は、図８に示すように、０°−左９０°回転範囲となる。図９は、キー２の可動範囲について示す。
【００４１】
キー２挿入時内筒０°の地点で、Ｘ−Ｘ断面では角度規制用溝による、角度規制が外れてフリー状態であり、Ｙ−Ｙ断面では、回転可動であるが角度規制がかかっている（図１０（ａ））。
【００４２】
キー２挿入時内筒左４５°回転地点では角度規制が外れてフリー状態であり、Ｙ−Ｙ断面ではコードピンが寸桐としているために段付溝にドライバーピンがあり操作できない。
【００４３】
従って、この場合従業者用のキー２の可動範囲は、図１０に示すように、０°−左４５°回転範囲となる。
【００４４】
図８のキー１挿入時内筒４５°回転地点において、キー１に代えてキー２が挿入されると、図８（ｄ）に示すキー２挿入時内筒左４５°回転地点の状態（図７（ｂ）に示す状態）となって、キー２ではもはやそれ以上に左回転させることができない。
【００４５】
これに対して、図９のキー２の挿入時内筒４５°回転地点において、キー２に変えてキー１が挿入されると、図９（ｃ）に示す状態（図８（ｂ）に示す状態）となって、キー１によって回転可能であり、その範囲は角度規制の範囲となり、９０°ということになる。
【００４６】
以上の例によれば図１１に示す使用例が可能になる。
【００４７】
使用例
管理者はキー１を所有し、０°、左４５°、左９０°で抜き差し、回転が可能。
従業員はキー２を所有し、０°、左４５°で抜き差し、回転が可能。
管理者が左４５°位置でキー１を抜く、従業員がその位置でキー２を挿入しても操作ができない。
【００４８】
実施例２に示す例では、２つの角度規制用溝を左回転の同一方向に設けているが、それぞれの回転方向を逆にすれば、キー１とキー２による角度規制範囲を逆方向に設定し、例えば角度規制範囲を９０°、４５°あるいは−９０°、−４５°に設定し、それぞれのキーでは他のキーに代用できないようにすることが可能になる。
【００４９】
また、角度規制範囲は９０°に限定されず、任意の角度にすることができ、更にキーを２個以上の複数を使用するようにすることも可能である。
【００５０】
このように、角度規制用溝２が基準角を中心として一対設けられ、これらの角度規制用溝２に対応して一対のドライバーピン３が設けられ、一対の角度規制用溝２の突起外径は異径とされ、一対のドライバーピン３の窪み部円径は異径とされるピンタンブラー錠１００が構成される。
【００５１】
また、２つの角度規制用溝２は基準角に中心として同一方向に形成され、一方の角度規制用溝２の回転範囲は他方の角度規制用溝２の回転範囲とは異なるようにしたピンタンブラー錠１００が構成される。
【００５２】
更に、一方の角度規制溝２の回転範囲は第一角度、例えば９０°とされ、他方の角度規制溝の回転範囲は第一角度よりも小さい第二角度、例えば４５°とされるピンタンブラー錠１００が構成される。
【００５３】
また、２つ角度規制用溝は基準角を中心として異方向に形成されるピンタンブラー錠１００が構成される。
【図面の簡単な説明】
【００５４】
【図１】本発明の実施例の構成を示す図。
【図２】実施例に使用する部品、部分の一部詳細図。
【図３】使用状態を示す図。
【図４】他の使用状態を示す図。
【図５】本発明の他の実施例の構成を示す図。
【図６】Ｘ−Ｘ断面拡大図。
【図７】Ｙ−Ｙ断面拡大図。
【図８】キー１可動範囲について説明する図。
【図９】キー２可動範囲について説明する図。
【図１０】キー１、キー２可動範囲を示す図。
【図１１】使用例を説明する図。
【符号の説明】
【００５５】
１…内筒、２…角度規制用溝、２Ａ…溝部、３…角度規制用ドライバーピン（ドライバーピン）、１１…突起、１２…窪み部、２１…第一のキー、２１Ａ…第二のキー、２２…外筒、２３…ドライバーピン孔、２４…スプリング、２５…コードピン孔、２６…コードピン（アンダーピン）、１００…ピンタンブラー錠。
【図１】
0005091753.tif 000002
【図２】
0005091753.tif 000003
【図３】
0005091753.tif 000004
【図４】
0005091753.tif 000005
【図５】
0005091753.tif 000006
【図６】
0005091753.tif 000007
【図７】
0005091753.tif 000008
【図８】
0005091753.tif 000009
【図９】
0005091753.tif 000010
【図１０】
0005091753.tif 000011
【図１１】
0005091753.tif 000012